(57)【要約】【課題】ろう者にとって読み取りの負担が少ないテロップ文章の表示を行う。【解決手段】テロップ表示制御装置１は、表示装置（情報表示装置７０）のテキスト表示領域におけるユーザの注視領域を検出する注視領域検出手段（注視領域検出部２０）と、前記検出された注視領域の経時的な変化に基づき前記テキスト表示領域におけるユーザの注視領域の遷移パターンを特定しこの特定した遷移パターンに基づき前記テキスト表示領域におけるテロップ文章のスクロール時間を決定するスクロール制御手段（スクロール制御部３０）と、前記決定されたスクロール時間でテロップ文章を前記テキスト表示領域にてスクロール表示させるための制御情報を作成する制御情報作成手段（画像合成部４０）と、前記作成された制御情報に基づき前記テロップ文章を前記テキスト表示領域にてスクロール表示させるテロップ制御手段（テロップ制御部５０）とを備える。【選択図】図１
2011128374.tif 000002
【特許請求の範囲】
【請求項１】
表示装置のメッセージ提示画面におけるテロップ文章のスクロール表示を制御するテロップ表示制御装置であって、
表示装置のテキスト表示領域におけるユーザの注視領域を検出する注視領域検出手段と、
前記検出された注視領域の経時的な変化に基づき前記テキスト表示領域におけるユーザの注視領域の遷移パターンを特定しこの特定した遷移パターンに基づき前記テキスト表示領域におけるテロップ文章のスクロール時間を決定するスクロール制御手段と、
前記決定されたスクロール時間で前記テロップ文章を前記テキスト表示領域にてスクロール表示させるための制御情報を作成する制御情報作成手段と、
前記作成された制御情報に基づき前記テロップ文章を前記テキスト表示領域にスクロール表示させるテロップ制御手段と
を備えた
を特徴とするテロップ表示制御装置。
【請求項２】
注視領域の遷移パターンとこのパターンに対応したテロップ文章のスクロール時間と前記テロップ文章の表示時間を計測する時計手段の計測状態とを記録した調整表を格納した調整表記憶手段をさらに備え、
前記スクロール制御手段は前記特定した遷移パターンに対応したスクロール時間と計測状態とを前記調整表記憶手段の調整表から引き出し、
前記制御情報生成手段は前記引き出されたスクロール時間及び計測状態でテロップ文章を前記テキスト表示領域にてスクロール表示させるための制御情報を作成すること
を特徴とする請求項１に記載のテロップ表示制御装置。
【請求項３】
前記特定された遷移パターンが注視領域の変化がないことを示す場合、前記スクロール制御手段は当該遷移パターンに対応したスクロール時間に設定すると共に前記時計手段の計測状態を前記表示時間の計測の継続に設定にし、
前記制御情報生成手段は前記設定されたスクロール時間及び計測状態でテロップ文章を前記テキスト表示領域にてスクロール表示させるための制御情報を作成すること
を特徴とする請求項２に記載のテロップ表示制御装置。
【請求項４】
前記特定された遷移パターンが前記テロップ文章の文末側への注視領域の変化を示す場合、前記スクロール制御手段は当該遷移パターンに対応したスクロール時間に設定すると共に前記時計手段の計測状態を前記表示時間の計測の初期化に設定し、
前記制御情報生成手段は前記設定されたスクロール時間及び計測状態でテロップ文章を前記テキスト表示領域にてスクロール表示させるための制御情報を作成すること
を特徴とする請求項２に記載のテロップ表示制御装置。
【請求項５】
前記特定された遷移パターンが前記テロップ文章の文頭側への注視領域の変化を示す場合、前記スクロール制御手段は当該遷移パターンに対応したスクロール時間として当初のスクロール時間を増大させた時間に設定すると共に前記時計手段の計測状態を前記表示時間の計測の初期化に設定し、
前記制御情報生成手段は前記設定されたスクロール時間及び計測状態でテロップ文章を前記テキスト表示領域にてスクロール表示させるための制御情報を作成すること
を特徴とする請求項２に記載のテロップ表示制御装置。
【請求項６】
表示装置のメッセージ提示画面におけるテロップ文章のスクロール表示を制御するテロップ表示制御方法であって、
注視領域検出手段が表示装置のテキスト表示領域におけるユーザの注視領域を検出するステップと、
スクロール制御手段が前記検出された注視領域の経時的な変化に基づき前記テキスト表示領域におけるユーザの注視領域の遷移パターンを特定しこの特定した遷移パターンに基づき前記テキスト表示領域におけるテロップ文章のスクロール時間を決定するステップと、
制御情報作成手段が前記決定されたスクロール時間でテロップ文章を前記テキスト表示領域にてスクロール表示させるための制御情報を作成するステップと、
テロップ制御手段が前記作成された制御情報に基づき前記テロップ文章を前記テキスト表示領域にてスクロール表示させるステップと
を有すること
を特徴とするテロップ表示制御方法。
【請求項７】
前記スクロール制御手段が、注視領域の遷移パターンとこのパターンに対応したテロップ文章のスクロール時間と前記テロップ文章の表示時間を計測する時計手段の計測状態とを記録した調整表から、前記特定した遷移パターンに対応したスクロール時間と計測状態とを引き出すステップと、
前記制御情報生成手段が前記引き出されたスクロール時間及び計測状態でテロップ文章を前記テキスト表示領域にてスクロール表示させるための制御情報を作成するステップと
をさらに有すること
を特徴とする請求項６に記載のテロップ表示制御方法。
【請求項８】
前記特定された遷移パターンが注視領域の変化がないことを示す場合、前記スクロール制御手段が当該遷移パターンに対応したスクロール時間に設定すると共に前記時計手段の計測状態を前記表示時間の計測の継続に設定するステップと、
前記制御情報生成手段が前記設定された前記スクロール時間及び計測状態でテロップ文章を前記テキスト表示領域にてスクロール表示させるための制御情報を作成するステップと
をさらに有すること
を特徴とする請求項７に記載のテロップ表示制御方法。
【請求項９】
前記特定された遷移パターンが前記テロップ文章の文末側または文頭側への注視領域の変化を示す場合、前記スクロール制御手段は当該遷移パターンに対応したスクロール時間に設定すると共に前記時計手段の計測状態を前記表示時間の計測の初期化に設定するステップと、
前記制御情報生成手段が前記設定された前記スクロール時間及び計測状態でテロップ文章を前記テキスト表示領域にてスクロール表示させるための制御情報を作成するステップと
をさらに有すること
を特徴とする請求項７に記載のテロップ表示制御方法。
【請求項１０】
請求項１から５のいずれか１項に記載のテロップ表示制御装置を構成する各手段としてコンピュータを機能させることを特徴とするテロップ表示制御プログラム。
【発明の詳細な説明】
【技術分野】
【０００１】
本発明はテロップの表示動作を制御する技術に関する。
【背景技術】
【０００２】
鉄道や航空機などの公共交通機関では、交通情報や緊急時の避難などに関する情報表示の際に音声アナウンスのみでなく文章表示やグラフィック表示を併用する情報保障が行なわれている。特に、言語獲得期以前に聴覚を失い日常生活で手話を用いるろう者に対する情報保障では、日本語テキストと手話映像を同時に表示することでアナウンス内容の理解を助ける支援が必要とされる。このような支援を実現するため、例えば、ＮＨＫの手話ニュースなどでは、ニュース映像とともに手話映像および日本語テキストによるテロップを表示している（非特許文献１）。このような情報保障の実現によって、ろう者も含めた多くの人が公共情報の取得を容易に達成できるようになった。
【先行技術文献】
【非特許文献】
【０００３】
【非特許文献１】米村俊一，永徳真一郎，鎌田一雄，「緊急情報の二言語提示における視線特性の分析」，ヒューマンインタフェース学会研究報告集，特定非営利活動法人ヒューマンインタフェース学会，２００９年３月１０日，Ｖｏｌ．１１，Ｎｏ．１，ｐ．６１−６６
【発明の概要】
【発明が解決しようとする課題】
【０００４】
しかしながら、言語獲得期以前に聴覚を失って日本語が第一言語ではないろう者にとって、日本語はあくまで第二言語であるため、テロップ内容の理解度に関して個人差があると言われている。また、手話と日本語は互いに異なる言語であり、語順などの文法が異なる。そのため、手話映像とスクロール型テロップ（文字が流れて消えるスクロール）が同時に表示された場合、ろう者は手話映像とテロップを頻繁に見比べながら、それらを逐次記憶してテロップの意味を理解しなければならないため、短時間のうちにスクロールしてしまうテロップでは、その内容を読み取る時の負担が大きいという課題があった。
【課題を解決するための手段】
【０００５】
そこで、本発明は、テロップ表示領域におけるユーザの注視領域検出結果に基づき、注視領域の変化を検出して注視領域の遷移パターンを特定し、このパターンに基づいてテキスト表示領域におけるテロップ文章のスクロール時間を制御する。
【０００６】
本発明のテロップ表示制御装置の態様としては、表示装置のメッセージ提示画面におけるテロップ文章のスクロール表示を制御するテロップ表示制御装置であって、表示装置のテキスト表示領域におけるユーザの注視領域を検出する注視領域検出手段と、前記検出された注視領域の経時的な変化に基づき前記テキスト表示領域におけるユーザの注視領域の遷移パターンを特定しこの特定した遷移パターンに基づき前記テキスト表示領域におけるテロップ文章のスクロール時間を決定するスクロール制御手段と、前記決定されたスクロール時間で前記テロップ文章を前記テキスト表示領域にてスクロール表示させるための制御情報を作成する制御情報作成手段と、前記作成された制御情報に基づき前記テロップ文章を前記テキスト表示領域にスクロール表示させるテロップ制御手段とを備える。
【０００７】
本発明のテロップ表示制御方法の態様としては、表示装置のメッセージ提示画面におけるテロップ文章のスクロール表示を制御するテロップ表示制御方法であって、注視領域検出手段が表示装置のテキスト表示領域におけるユーザの注視領域を検出するステップと、スクロール制御手段が前記検出された注視領域の経時的な変化に基づき前記テキスト表示領域におけるユーザの注視領域の遷移パターンを特定しこの特定した遷移パターンに基づき前記テキスト表示領域におけるテロップ文章のスクロール時間を決定するステップと、制御情報作成手段が前記決定されたスクロール時間でテロップ文章を前記テキスト表示領域にてスクロール表示させるための制御情報を作成するステップと、テロップ制御手段が前記作成された制御情報に基づき前記テロップ文章を前記テキスト表示領域にてスクロール表示させるステップとを有する。
【０００８】
本発明は前記テロップ表示制御装置を構成する各手段としてコンピュータを機能させるテロップ表示制御プログラムの態様とすることもできる。
【発明の効果】
【０００９】
以上の発明によれば、テロップ文章の表示時間を柔軟に調節できるので、ろう者にとって読み取りの負担が少ないテロップ文章の表示が行える。
【図面の簡単な説明】
【００１０】
【図１】発明の実施形態に係るテロップ表示制御装置を示したブロック構成図。
【図２】発明の実施形態の係るテロップ表示制御装置がテロップ文章のスクロール時間を調整するステップを説明したフローチャート図。
【図３】メッセージ提示画面における注視領域の一例を説明した説明図。
【図４】注視領域特定表の一例を示した図。
【図５】テロップ文章のスクロール時間の調整表の一例を示した図。
【図６】テロップ文章のスクロールの一例を説明した説明図。
【発明を実施するための形態】
【００１１】
以下、図面を参照しながら本発明の実施形態について説明する。
【００１２】
図１に示された発明の実施形態に係るテロップ表示制御装置１は、図３に例示した情報表示装置７０のメッセージ提示画面２００のテキスト表示領域２０１におけるユーザの注視領域Ａ〜Ｃの変化を検出して特定した注視領域Ａ〜Ｃの遷移パターンに基づきテロップ文章のスクロール時間を調整する。これにより、ユーザのテキスト読み取り時の負担が軽減され、テロップ文章の読みやすさ向上が促進する。図３に例示されたテキスト表示領域２０１におけるテロップ文章のスクロールの方向は画面２００の縦方向となっている。前記遷移パターンとしては、例えば、テロップ文章の内容が難しい場合に当該文章を読み返す行動パターンなどが挙げられる。尚、スクロール時間は前記テキスト表示領域におけるテロップ文章のスクロール動作の間隔時間を意味する。
【００１３】
テロップ表示制御装置１は、コンピュータにより構成され、通常のコンピュータのハードウェアリソース、例えばＣＰＵ、メモリ（ＲＡＭ）、ハードディスクドライブ装置、入出力デバイス等を備える。そして、このハードウェアリソースとソフトウェアリソース（ＯＳ、アプリケーション等）との協働の結果、テロップ表示制御装置１はテロップ文章記憶部１０と注視領域検出部２０とスクロール制御部３０と画面合成部４０とテロップ制御部５０とタイマー６０と情報表示装置７０と注視点観測装置８０を実装する。
【００１４】
テロップ文章記憶部１０は情報表示装置７０に表示させるためのテロップ文章をテキスト形式で予め記憶している。
【００１５】
注視領域検出部２０は図３に例示した情報表示装置７０のメッセージ提示画面２００のテキスト表示領域２０１におけるユーザの注視領域Ａ〜Ｃを検出する。具体的には注視点観測装置８０から入力されたユーザの注視点座標に基づいて情報表示装置７０の図３のメッセージ提示画面２００における当該ユーザの注視領域Ａ〜Ｃを特定する。注視点観測装置８０はユーザの注視点座標を取得できる周知の注視点観測装置を適用すればよい。前記周知の注視点観測装置としては例えば非特許文献１に開示された非接触式／無拘束式の視線計測装置が挙げられる。この視線計測装置はオートトラッキング機能及びオートフォーカス機能によってユーザの頭部の上下左右、前後方向の動きに追従しながら絶対座標系計測機能によって当該ユーザの注視点座標を算出する。
【００１６】
また、注視領域検出部２０は特定した注視領域をその特定した時刻及び注視領域の変化と対応関係を保つ形式で一時的に記憶する注視領域特定処理を経時的に繰り返すことにより、図４に示すような注視領域特定表３００を形成する。注視領域特定表３００は図３に例示されたメッセージ提示画面２００におけるユーザの注視領域Ａ〜Ｃの変化を経時的に記録したものである。注視領域特定表３００は具体的には図４に示されたようにユーザの注視領域が検出された時刻のカラムと当該注視領域のカラムと当該注視領域の変化のカラムを有したような態様となっている。
【００１７】
スクロール制御部３０は前記検出した注視領域Ａ〜Ｃの経時的な変化に基づきテキスト表示領域２０１におけるユーザの注視領域の遷移パターンを特定しこの特定した遷移パターンに基づきテキスト表示領域２０１におけるテロップ文章のスクロール時間を決定する。より具体的には注視領域検出部２０から供された図４に例示の注視領域特定表３００を図５に例示した調整表４００と比較することでメッセージ提示画面２００おけるユーザの注視領域の遷移パターンを特定する。そして、この特定した遷移パターンに基づきスクロール時間とタイマー６０の計測状態を決定する。尚、タイマー６０は情報表示装置７０のテキスト表示領域２０１に表示されるテロップ文章の表示時間を計測するための時計手段である。
【００１８】
調整表４００は図３に例示のメッセージ提示画面２００におけるユーザの注視領域Ａ〜Ｃの遷移とこれに対応したテロップ文章のスクロール時間と前記テロップ文章の表示時間を計測するタイマー６０の計測状態を記録している。調整表４００の具体的な態様としては図５に示されたように注視領域Ａ〜Ｃの遷移のカラムと各遷移に対応したテロップ文章のスクロール時間のカラムと前記スクロール時間に対応したタイマー状態（タイマー６０の計測状態）のカラムを有する。タイマー６０の計測状態としては表示されているテロップ文章の表示時間を計測することの「継続」及び「リセット（初期化）」の２種類がある。調整表４００は図１に示された調整表記憶部９０に予め記憶される。尚、調整表記憶部９０はテロップ文書記憶部１０を実現する記憶手段に格納してもよい。
【００１９】
画像合成部４０はスクロール制御部３０によって決定されたスクロール時間でテロップ文章をテキスト表示領域にてスクロール表示させるための制御情報を作成する。具体的にはスクロール制御部３０によって決定されたスクロール時間でテロップ文章を図６に例示した情報表示装置７０におけるメッセージ提示画面５００のテキスト表示領域５０１にてスクロール表示させるための制御情報を作成する。
【００２０】
また、画像合成部４０は、スクロール制御部３０によって注視領域の変化を示していない遷移パターンに対応したスクロール時間に設定されていると共にタイマー６０の計測状態が前記表示時間の計測の継続に設定されている場合に、この設定されたスクロール時間及び計測状態でテロップ文章を前記テキスト表示領域にてスクロール表示させるための制御情報を作成する。
【００２１】
さらに、画像合成部４０は、スクロール制御部３０によって前記テロップ文章の文末側または文頭側への注視領域の変化を示す遷移パターンに対応したスクロール時間に設定されていると共にタイマー６０の計測状態が前記表示時間の計測の初期化に設定されている場合に、この設定されたスクロール時間及び計測状態でテロップ文章を前記テキスト表示領域にてスクロール表示させるための制御情報を作成する。
【００２２】
テロップ制御部５０は画像合成部４０によって作成された上述の制御情報に基づきテロップ文章を情報表示装置７０のテキスト表示領域にてスクロール表示させる。
【００２３】
情報表示装置７０はテロップ制御部５０による制御によってユーザに対して図６に例示したようなメッセージ提示画面５００，５１０を出力表示する。出力表示にあたり、メッセージ提示画面５００，５１０のテキスト表示領域５０１，５１１にて表示されているテロップ文章を画面合成部４０によって設定されたスクロール時間でスクロール表示する。情報表示装置７０にはパーソナルコンピュータに採用されているディスプレイのような周知の表示装置を適用すればよい。
【００２４】
本発明に係るテロップ表示制御装置１はコンピュータとプログラムによっても実現でき、当該プログラムを記録媒体に記録することも、ネットワークを通して提供することも可能である。すなわち、上述のテロップ表示制御装置１を構成する各機能部２０〜６０に係る処理をプログラムとして構築し、当該プログラムを通信回線または記録媒体によってコンピュータにインストールすることにより、当該コンピュータによってテロップ表示制御装置１の実現が可能となる。情報表示装置７０は前記コンピュータに付帯されるディスプレイによって実現できる。記憶部１０，９０としてはハードディス装置やファイルサーバ等に例示される記憶手段によって実現できる。
【００２５】
図２のフローチャートを参照しながらテロップ文書のスクロール時間を調整するステップＳ１〜Ｓ６について説明する。
【００２６】
Ｓ１：テロップ制御部５０は情報表示装置７０に表示すべきテロップ文章をテロップ文章記憶部１０から検索して引き出してテロップ表示制御装置１の内部メモリ（揮発性のメモリ）の一時的に記憶する。そして、図６に示したように情報表示装置７０のメッセージ提示画面５００におけるテキスト表示領域５０１に前記テロップ文章のテキスト１行分を表示させる。このとき、タイマー６０は前記テロップ文章の表示時間の起算を開始する。
【００２７】
Ｓ２：注視領域検出部２０は、注視点観測装置８０からのユーザの注視点座標の入力を受けると、この注視点座標に基づいて図６のテキスト表示領域５０１に示されたユーザの注視領域Ａ〜Ｃを特定し、この特定した領域Ａ〜Ｃをその特定時刻と対応関係を保つ形式で前記内部メモリに一時的に記憶する。この注視領域特定処理が経時的に逐次繰り返し実行されることで図４に例示したような注視領域特定表３００が形成されて前記内部メモリに一時的に記憶される。
【００２８】
Ｓ３：スクロール制御部３０は前記内部メモリに一時的保存された注視領域特定表３００における注視領域の変化を検出する。注視領域の変化が検出された場合はＳ４のステップに移行し、前記変化が検出されない場合はＳ２のステップが再度実行される。
【００２９】
Ｓ４：スクロール制御部３０は注視領域特定表３００を参照してこの特定表３００に存在する「注視領域の変化」を注視領域の遷移パターンとして特定して前記内部メモリに一時的に記憶する。
【００３０】
Ｓ５：スクロール制御部３０は調整表記憶部９０から引き出した図５に示した調整表４００に含まれる「注視領域の遷移」の一覧からＳ４で遷移パターンとして特定された「注視領域の変化」と合致しているものを選定する。そして、調整表４００において「注視領域の変化」と合致している「注視領域の遷移」がある場合は、当該「注視領域の遷移」に対応した「スクロール時間」「タイマー状態」に従ってタイマー６０の計測動作を「継続」させるか「リセット」するかのいずれかを決定する。例えば、「注視領域の遷移」が「Ａ ｔｏ Ａ」に相当するものである場合にはスクロール時間は「５．０秒」でありタイマー６０の計測動作は「継続」となる。「注視領域の遷移」が「Ｂ ｔｏ Ａ」に相当するものである場合にはスクロール時間は「８．０秒」に変更されタイマー６０の計測動作は「リセット」される。「注視領域の遷移」が「Ａ ｔｏ Ｃ」に相当するものである場合にはスクロール時間は「３．０秒」に変更されタイマー６０の計測動作は「リセット」される。一方、調整表４００において「注視領域の変化」と合致している「注視領域の遷移」がない場合は、Ｓ２のステップが再度実行される。
【００３１】
Ｓ６：画面合成部４０はテロップ文章のスクロール時間を調整する。すなわち、画面合成部４０はＳ５で決定されたスクロール時間でテロップ文章を情報表示装置７０のテキスト表示領域２０１にスクロール表示させるための制御情報を作成する。
【００３２】
そして、テロップ制御部５０は図６の例示したように情報表示装置７０のメッセージ提示画面５００におけるテキスト表示領域５０１に表示されているテロップ文章を前記作成された制御情報に基づき画面５００の縦方向にスクロール表示させる。スクロールの方向は画面５００の縦方向に限定されることなく横方向でもよい。
【００３３】
また、図６に示したようにステップＳ２〜Ｓ５の過程で情報表示装置７０のメッセージ提示画面５００のテキスト表示領域５０１にてユーザの注視行動が注視領域Ｂから注視領域Ａに戻る（読み直し）行動パターンが観測されると、テロップ制御部５０はメッセージ提示画面５１０のテキスト表示領域５１１においてはスクロール時間が５．０秒から８．０秒の「ゆっくり」スクロールに緩和されるように調整された状態でテロップ文章をスクロール表示させる。スクロール表示が終了した後はテロップ文章記憶部１０に格納された他のテロップ文章の表示のためにＳ１のステップに戻る。
【００３４】
以上のステップＳ１〜Ｓ６によって、テキスト内容が難しい場合にユーザがテキストを読み返す行動パターンが抽出でき、その読み返す行動を遂行するために十分なスクロール時間をとるなど、テロップの表示時間を柔軟に調節できる。したがって、ろう者にとって負担の少ないテロップ読み取りができるようになる。
【００３５】
以上のようにテロップ表示制御装置１は、テロップ表示領域におけるユーザの注視領域検出結果に基づき、注視領域の変化を検出して注視領域の遷移パターン（例えば、テキスト内容が難しい場合にテキストを読み返す行動パターンなど）を特定しこのパターンに基づいてテロップのスクロール時間を調整する。したがって、ユーザのテキスト読み取り時の負担が軽減され、テロップの読みやすさが向上促進する。そして、このことにより、テロップを逐次読み取る途中のプロセスにおいては手話映像と内容が合致するテキストを逐次表示することにより両者を見比べ易くなる。また、テロップ読み取りの最終段階においては逐次表示したテキストの全てを同時に表示することによりテロップ内容の最終確認を促進することが可能となる。ゆえに、ろう者にとっては負担の少ないテロップ読み取りができる。
【符号の説明】
【００３６】
１…テロップ表示制御装置
１０…テロップ文章記憶部
２０…注視領域検出部（注視領域検出手段）
３０…スクロール制御部（スクロール制御手段）
４０…画面合成部（制御情報作成手段）
５０…テロップ制御部（テロップ制御手段）
６０…タイマー
７０…情報表示装置
８０…注視点観測装置
９０…調整表記憶部（調整表記憶手段）
４００…調整表
【図１】
2011128374.tif 000003
【図２】
2011128374.tif 000004
【図４】
2011128374.tif 000005
【図５】
2011128374.tif 000006
【図３】
2011128374.tif 000007
【図６】
2011128374.tif 000008